(57)【要約】      （修正有）【課題】防虫薬剤ガスを使うことなく、建物への虫の侵入を抑制することを可能にする虫侵入抑制システムを提供する。【解決手段】虫侵入抑制システムは、吹出装置２１と監視装置２２と制御装置２０とを備える。吹出装置２１は、建物１０における開口部１３の周部に配置され開口部１３に対応する分離領域に気体を吹き出す。監視装置２２は、建物１０の外部から開口部１３に向かって飛来する虫の位置を監視する。制御装置２０は、監視装置２２の監視結果から虫の飛来を検知すると、虫の位置に基づいて、吹出装置２１から吹き出す気体の流速を一時的に増加させるように吹出装置２１に指示する。【選択図】図１
2017158481.tif 000002
【特許請求の範囲】
【請求項１】
建物における開口部の周部に配置され前記開口部に対応する分離領域に気体を吹き出す吹出装置と、
前記建物の外部から前記開口部に向かって飛来する虫の位置を監視する監視装置と、
前記監視装置の監視結果から前記虫の飛来を検知すると、前記位置に基づいて、前記吹出装置から吹き出す気体の流速を一時的に増加させるように前記吹出装置に指示する制御装置とを備える
ことを特徴とする虫侵入抑制システム。
【請求項２】
前記吹出装置は、前記分離領域のうち気体を吹き出す遮蔽範囲が指示されるように構成されており、
前記制御装置は、前記虫の飛来を検知すると、前記位置に基づいて前記吹出装置に気体を吹き出す遮蔽範囲を指示し、かつ前記吹出装置が前記遮蔽範囲に吹き出す気体の流速を一時的に増加させる
ことを特徴とする請求項１記載の虫侵入抑制システム。
【請求項３】
建物における開口部の周部に配置され前記分離領域にミストを噴霧するミスト発生装置をさらに備え、
前記制御装置は、前記虫の飛来を検知すると、前記位置に基づいて、前記ミスト発生装置から噴霧するミストを一時的に増量するように前記ミスト発生装置に指示する
ことを特徴とする請求項１又２記載の虫侵入抑制システム。
【請求項４】
前記ミスト発生装置は、前記分離領域のうちミストを吹き出す遮蔽範囲が指示されるように構成されており、
前記制御装置は、前記虫の飛来を検知すると、前記位置に基づいて前記ミスト発生装置にミストを吹き出す遮蔽範囲を指示し、かつ前記ミスト発生装置が前記遮蔽範囲に噴霧するミストを一時的に増量させる
ことを特徴とする請求項３記載の虫侵入抑制システム。
【請求項５】
前記ミスト発生装置は、前記虫の忌避効果を有する忌避剤を前記ミストに含む
ことを特徴とする請求項３又は４記載の虫侵入抑制システム。
【請求項６】
前記監視装置は、前記虫の発生量の多寡を予測するための情報を取得する機能を有し、
前記制御装置は、
前記情報により前記虫の発生量が増加すると予測された場合に、前記吹出装置から吹き出す気体の流速を一時的に増加させる
ことを特徴とする請求項１〜５のいずれか１項に記載の虫侵入抑制システム。
【請求項７】
前記監視装置は、前記虫の発生量の多寡を予測するための情報を取得する機能を有し、
前記制御装置は、
前記情報により前記虫の発生量が増加すると予測された場合に、前記ミスト発生装置から噴出させるミストを一時的に増量させる
ことを特徴とする請求項３〜５のいずれか１項に記載の虫侵入抑制システム。
【発明の詳細な説明】
【技術分野】
【０００１】
本発明は、建物の開口部から建物内への虫の侵入を抑制する虫侵入抑制システムに関する。
【背景技術】
【０００２】
従来、建造物の出入口を気流的に遮断するエアーカーテンに防虫薬剤ガスを放出して、出入口からの虫の侵入を阻止する虫侵入防止方法が提案されている（特許文献１参照）。
【先行技術文献】
【特許文献】
【０００３】
【特許文献１】特開２０１２−８０８６６号公報
【発明の概要】
【発明が解決しようとする課題】
【０００４】
特許文献１に記載された技術は、エアーカーテンに防虫薬剤ガスを放出することによって、虫の侵入を阻止する構成であるから、建物内に存在する人が防虫薬剤ガスを多量に吸引する可能性がある。
【０００５】
本発明は、防虫薬剤ガスを使わなくとも建物への虫の侵入を抑制することを可能にした虫侵入抑制システムを提供することを目的とする。
【課題を解決するための手段】
【０００６】
本発明に係る虫侵入抑制システムは、吹出装置と監視装置と制御装置とを備える。前記吹出装置は、建物における開口部の周部に配置され前記開口部に対応する分離領域に気体を吹き出す。前記監視装置は、前記建物の外部から前記開口部に向かって飛来する虫の位置を監視する。前記制御装置は、前記監視装置の監視結果から前記虫の飛来を検知すると、前記位置に基づいて、前記吹出装置から吹き出す気体の流速を一時的に増加させるように前記吹出装置に指示する。
【発明の効果】
【０００７】
本発明の構成によれば、防虫薬剤ガスを使うことなく、建物への虫の侵入を抑制することが可能であるという利点を有する。
【図面の簡単な説明】
【０００８】
【図１】図１Ａは虫侵入抑制システムを適用した建物の一つの構成例を示す斜視図であり、図１Ｂは虫侵入抑制システムの一つの構成例を示すブロック図である。
【図２】図２Ａは虫侵入抑制システムの動作例を示す正面図であり、図２Ｂは虫侵入抑制システムの動作例を示す側面図である。
【図３】図３Ａは虫侵入抑制システムを適応した建物の他の構成例を示す一部破断した斜視図であり、図３Ｂは虫侵入抑制システムの他の構成例を示すブロック図である。
【発明を実施するための形態】
【０００９】
以下に説明する建物は、原則として非居住用であるが、居住用の建物において以下に説明する技術を採用することを妨げない。非居住用の建物は、道路、駅、公園、広場のように、人が往来あるいは集散する場所に設置されることを想定している。この種の建物は、たとえば、休憩所、待合室、東屋、停留所、鉄道駅などで用いられる。また、この種の建物は、屋根を備え、壁は少なくとも一部が開放される。
【００１０】
建物の形状に関する制限はとくになく、屋根の外周形状は、四角形状、円形状、四角形状以外の多角形状など、様々な形状を採用することが可能である。屋根を構成する屋根部材は、建物を設置する場所の設置面に立てた支持材によって支持される。支持材は、屋根部材の周部を支持する支柱、屋根部材の中央部を支持する支柱、屋根部材の周部を支持する支持壁または耐力壁などから選択される。設置面は、地面、路面、建築物の床面などから選択される。建築物の床面は、ビルディングであれば屋上の床面などが相当する。建物の床は、設置面を床面に用いる場合と、設置面とは別に床部材で形成する場合とがある。
【００１１】
以下では、図１Ａのように、建物１０が、外周形状が四角形状である屋根部材１１と、屋根部材１１の四隅を支持する支柱１２とを備える構成例について説明する。支柱１２の上端部は屋根部材１１に結合されている。屋根部材１１は、合成樹脂板、合成樹脂シート、金属板、セメント板などから選択される。屋根部材１１は、複数の屋根材が屋根下地の上に配置された構成であってもよい。なお、建物１０で使用する設備機器に供給する電力の少なくとも一部を確保するために、太陽電池パネルを屋根に搭載する場合、太陽電池パネルを屋根部材１１として兼用することが可能である。
【００１２】
この構成例において、屋根部材１１の直下の空間領域は、人が滞在する対象空間Ｓｔであるから、この空間領域に滞在する人の快適性を向上させることが要求される。この構成例では、建物１０の開口部１３を通して建物１０の外部から対象空間Ｓｔへの虫の侵入を抑制することにより、対象空間Ｓｔの快適性を向上させている。すなわち、図１Ａに示す構成例は、屋根部材１１に隣り合う４つの面のうちの１つの面が建物１０の開口部１３として開放されている。この開口部１３は、建物１０の出入口として機能する。また、屋根部材１１に隣り合う４つの面のうち開口部１３ではない残りの３つの面は壁部材１４で塞がれている。この構成は一例であって、建物１０の２面以上が開放されていてもよい。
【００１３】
開口部１３から対象空間Ｓｔへの虫の侵入を抑制するために、開口部１３の上端部には吹出装置２１が配置される。吹出装置２１は、開口部１３に対応した分離領域Ｄ１（図２Ａ、図２Ｂ参照）の全域に下向きの気流を形成する。分離領域Ｄ１は、建物１０の外部と対象空間Ｓｔとを分離する領域である。
【００１４】
吹出装置２１は、１台または複数台の気流形成装置２１１で構成される。気流形成装置２１１は、下向きの気流を形成するように構成される。１台の気流形成装置２１１が気体を吹き出す吹出口は、長さが８００［ｍｍ］から１５００［ｍｍ］程度、幅が５０［ｍｍ］から１００［ｍｍ］程度である。すなわち、気流形成装置２１１は、いわゆるエアカーテンを形成する。建物１０の開口部１３の幅が１台の気流形成装置２１１の長さよりも大きい場合、開口部１３には複数台の気流形成装置２１１が配置される。
【００１５】
たとえば、開口部１３の幅が５０００［ｍｍ］程度である場合、５台の気流形成装置２１１を並べることにより、開口部１３の全体に気体を吹き出すことが可能である。５台の気流形成装置２１１から吹き出す気体の流速がほぼ等しければ、開口部１３にほぼ一定の流速の気流が形成される。上述した数値は一例であり、必要に応じて変更可能である。
【００１６】
ところで、虫侵入抑制システムは、図１Ｂに示すように、吹出装置２１は、制御装置２０からの指示を受け、吹き出す気体の流速を調節する。制御装置２０は、複数台の気流形成装置２１１が存在する場合は、複数台の気流形成装置２１１それぞれが吹き出す気体の流速を制御する。気流形成装置２１１が吹き出す気体の流速は、一般的には、８［ｍ／ｓ］から１０［ｍ／ｓ］程度であるが、この構成例で用いる気流形成装置２１１は、気体の流速を、たとえば１０［ｍ／ｓ］から１５［ｍ／ｓ］程度まで増加させることが可能である。また、制御装置２０は、複数台の気流形成装置２１１から選択される１台または複数台の特定の気流形成装置２１１について、吹き出す気体の流速を制御することが可能である。
【００１７】
気流形成装置２１１が吹き出す気体は、通常は空気である。ただし、気体は、虫に対する忌避効果を有すると言われる芳香成分を忌避剤として含んでいてもよい。たとえば、カ、ハエのような虫（昆虫）に対しては、レモングラスのようなシトラス系、あるいはラベンダー系の芳香成分に忌避効果があると言われているから、この種の芳香成分を気体に含んでいてもよい。あるいは、後述するミストが、この種の芳香成分を含んでいてもよい。
【００１８】
吹出装置２１は、エアカーテンを形成するだけでも、カ、ハエ、小型のガのような小型昆虫に対して対象空間Ｓｔへの虫の侵入を抑制する効果があるが、比較的大型の昆虫に対しては、対象空間Ｓｔへの侵入を十分に抑制できるとは言えない。そこで、吹出装置２１から吹き出す気体の流速を高める構成が考えられる。ただし、吹出装置２１から吹き出す気体の流速を常に高くすれば、開口部１３を通過する人に不快感が生じる可能性があり、また吹出装置２１を運転するために消費されるエネルギー量が増加する。
【００１９】
この構成例では、建物１０の外部から対象空間Ｓｔに向かって飛来する虫を監視する監視装置２２が建物１０に設けられ、監視装置２２が虫を検知したときに、制御装置２０が吹出装置２１から吹き出す気体の流速を一時的に増加させる構成を採用している。また、監視装置２２は、虫の飛来だけではなく、飛来する虫の位置を監視するように構成されており、制御装置２０は、虫の位置に基づいて、複数の気流形成装置２１１から選択される一部の気流形成装置２１１が吹き出す気体の流速を増加させるように構成される。
【００２０】
ここに、制御装置２０は、プログラムに従って動作するプロセッサを備えたデバイスを主なハードウェア要素に備える。この種のデバイスは、プロセッサとメモリとを一体に備えるマイコン（microcontroller）、プロセッサとは別にメモリが必要なＭＰＵ（Micro-Processing Unit）などから選択される。デバイスを機能させるプログラムは、ＲＯＭ（Read Only Memory）にあらかじめ書き込まれているか、書換可能な不揮発性のメモリに書き込まれる。不揮発性のメモリに書き込むプログラムは、光ディスクまたはメモリカードのようなコンピュータで読取可能な記録媒体によって提供される。不揮発性のメモリに書き込むプログラムは、インターネットのような電気通信回線を通して提供される場合もある。
【００２１】
監視装置２２は、虫が飛翔する際に生じる音波を検知する構成を採用している。たとえば、カが飛翔する際の羽音は、３００［Ｈｚ］から６００［Ｈｚ］であり、１０倍程度の高調波成分も生じている。したがって、羽音に特有な複数の周波数帯についてパワー比を求めると、虫が飛翔する際の音波か否かを識別可能である。また、監視装置２２が監視する音波の音圧によって、虫までの距離を推定することが可能である。監視装置２２は、音波の音圧から虫までの距離を求めるために、音波の音圧と距離との関係を、データテーブルあるいは関係式の形式であらかじめ備えており、データテーブルあるいは関係式を用いて距離を求める。
【００２２】
監視装置２２は、音波を電気信号に変換するトランスデューサを複数備えていることが望ましい。複数のトランスデューサは、アレイセンサを構成している。この構成の監視装置２２は、複数のトランスデューサに同位相の音波が到達する際の時間差に基づいて音波を発生させた虫が存在する方向を認識する。したがって、この構成の監視装置２２は、虫までの距離と方向とによって、虫が存在する位置を推定する。なお、アレイセンサを用いずに単体のトランスデューサを複数箇所に配置した監視装置２２を用い、トランスデューサが検出する音圧の差異によって虫の位置を推定する構成を採用してもよい。
【００２３】
虫が飛翔する際に発生する音波を監視するように監視装置２２が構成されている場合、開口部１３の周囲における複数箇所にアレイセンサを配置してもよい。すなわち、監視装置２２は、複数のアレイセンサの出力を組み合わせることによって、虫が存在する領域を絞り込むことが可能になる。この構成を採用すると、監視装置２２は、データテーブルあるいは関係式の形式で音圧と距離との関係を表していなくとも、虫の位置を特定することが可能である。
【００２４】
監視装置２２の他の構成として、たとえば、赤外線、超音波、電波などから選択される検知波の送信と受信とを行うことにより虫を監視する構成、カメラで撮影した画像に基づいて虫を監視する構成などを用いることも可能である。
【００２５】
検知波の送信および受信を行う監視装置２２は、たとえば、検知波の送信と受信とを行うセンサを備える。この種の監視装置２２は、センサが検知波を送信してから受信するまでの時間差に相当する情報を求めて虫までの距離を計測する。さらに、この監視装置２２は、互いに離れて配置された複数のセンサを備え、三角測量法の原理によって、複数のセンサがそれぞれ計測した虫までの距離から虫の位置を求めることを可能にしている。
【００２６】
カメラで撮影した画像に基づいて虫を監視する構成には、赤外線のような光を虫に照射し、その反射光をカメラが撮影する構成、あるいは互いに離れて配置された複数台のカメラが虫を撮影する構成などがある。前者はアクティブ型の構成であり、後者はステレオ画像法などが相当する。
【００２７】
監視装置２２は、１台の気流形成装置２１１が気体を吹き出す遮蔽範囲に相当する精度で虫の位置を監視すればよい。たとえば、開口部１３の幅方向に複数台の気流形成装置２１１が配置されている場合、監視装置２２は、複数台の気流形成装置２１１のそれぞれが気体を吹き出す領域のうち虫が飛来する領域を区分できればよい。なお、複数台の気流形成装置２１１を並べて配置している場合に、虫の飛来を監視する領域は、隣接する２台の気流形成装置２１１の長手方向に跨がる範囲で区画が定められていることが望ましい。
【００２８】
また、図２Ａ、図２Ｂに示すように、監視装置２２が虫を監視する監視領域Ｄ２は、分離領域Ｄ１に対して建物１０の外方に設定されていることが望ましい。すなわち、監視領域Ｄ２で虫が検知された後、吹出装置２１から吹き出す気体の流速が増加し、流速の増加した気体が虫の飛翔に影響するまでには時間差があるから、虫が飛翔する速度を考慮して監視領域Ｄ２が定められる。なお、図２Ａには、１台の気流形成装置２１１が気体を吹き出す遮蔽範囲Ｄ２１と、監視装置２２が虫を監視する領域の区画Ｄ２２との関係の一例を示している。
【００２９】
上述した構成により、監視領域Ｄ２への虫の侵入が検知されると、虫の侵入が検知された位置に対応した気流形成装置２１１に対して、制御装置２０が気体を吹き出す流速を増加させるように指示する。制御装置２０は、監視領域Ｄ２のうち虫の侵入が検知された区画Ｄ２２に対応した気流形成装置２１１に指示する。ここで、気流形成装置２１１が気体を吹き出す遮蔽範囲Ｄ２１と監視装置２２が虫を監視する監視領域Ｄ２の区画Ｄ２２との関係が、図２Ａ、図２Ｂに示す例のように定められている場合、制御装置２０は、１つの区画Ｄ２２に跨がる２台の気流形成装置２１１に対して気体の流速を増加させるように指示する。
【００３０】
ここでは、監視装置２２において虫が飛翔する際に生じる音波を監視している。したがって、虫が飛翔する際に生じる音波が監視領域Ｄ２では検知されなくなれば、虫が監視領域Ｄ２に存在しなくなったと推定可能である。すなわち、制御装置２０は、監視装置２２で虫が検知されている状態から虫が検知されない状態に移行すると、吹出装置２１から吹き出す気体の流速を、増加前の流速に戻すように吹出装置２１に指示する。
【００３１】
以上説明したように、この構成例では、複数の気流形成装置２１１それぞれが、開口部１３を含む分離領域Ｄ１に比較的低速の気体を吹き出す第１状態と、分離領域Ｄ１のうちの一部に比較的高速の気体を吹き出す第２状態とを選択可能である。そして、制御装置２０は、通常時は吹出装置２１に第１状態での運転を指示し、監視装置２２の出力に基づいて監視領域Ｄ２への虫の侵入を検知すると、虫の位置に対応する吹出装置２１に対して第２状態での運転を指示する。このような動作によって、建物１０に開口部１３を通して侵入しようとする虫に対し、吹出装置２１から高速の気体を吹き付けることが可能になり、虫の建物１０への侵入が抑制される。なお、監視領域Ｄ２に虫が侵入したか否かの判断は、監視装置２２と制御装置２０とのいずれで行ってもよい。
【００３２】
上述した構成例では、監視装置２２が監視領域Ｄ２に侵入した虫を検知すると、開口部１３に向かって飛来する虫と推定している。一方、監視装置２２が虫の位置を追跡可能である場合、監視装置２２は、虫が飛翔する向きを推定することにより、開口部１３に向かって飛来しているか否かを判断してもよい。なお、虫が開口部１３に向かって飛来しているか否かの判断は制御装置２０が行ってもよい。
【００３３】
また、上述した構成例では、複数台の気流形成装置２１１が建物１０に配置され、制御装置２０は、監視領域Ｄ２で虫が検知されると、複数台の気流形成装置２１１から選択される一部の気流形成装置２１１から吹き出す気体の流速を増加させている。ただし、制御装置２０は、複数台の気流形成装置２１１の全部について吹き出す気体の流速を増加させてもよい。
【００３４】
上述した構成例では、監視領域Ｄ２で虫が検知された後、監視装置２２が監視領域Ｄ２の虫を検知しなくなるまで高速状態を維持している。ただし、高速状態で運転されている吹出装置２１から吹き出す気体に虫が接触すると、ほとんどの虫はただちに建物１０から離れると考えられる。したがって、開口部１３に向かって飛来する虫が検知された後、吹出装置２１の高速状態を維持する時間をあらかじめ定めていてもよい。この時間は、一定時間に定めらていてもよいが、監視装置２２が虫の数あるいは密度を監視可能であれば、虫の数が多いほど、あるいは虫の密度が高いほど、高速状態を維持する時間を長くするように定められていることが望ましい。
【００３５】
上述した監視装置２２は、監視領域Ｄ２への虫の侵入を監視しているが、監視装置２２は、インターネットのような電気通信回線を通して通信する機能、あるいは放送電波を受信する機能を備えていてもよい。この種の機能を備える監視装置２２は、気象情報を取得することが可能である。制御装置２０は、監視装置２２が取得した気象情報に基づいて虫の発生状況を予測する。また、建物１０の周囲環境に基づいて虫の発生しやすい場所が既知であれば、制御装置２０は、虫の飛来方向を推定する。このように、制御装置２０において、虫の発生状況を予測した情報、虫の飛来方向を推定した情報が得られる場合、制御装置２０は、これらの情報を補助情報として用いる。虫の発生状況の情報は、虫の発生量の多寡の情報を含んでいる。
【００３６】
制御装置２０は、吹出装置２１から吹き出す気体の流速を補助情報に基づいて調節し、高速状態を維持する時間を補助情報に基づいて調節する。補助情報によって、虫の発生量が増加すると予測された場合には、制御装置２０は、吹出装置２１から吹き出す気体の流速を一時的に増加させる。
【００３７】
建物１０の周囲の気象情報を取得するために、気温、湿度、雨量のような気象を監視するセンサを建物１０が備えていてもよい。この種のセンサを建物１０が備える場合は、監視装置２２は、この種のセンサから気象に関する情報を取得する。すなわち、建物１０にこの種のセンサが配置されていれば、監視装置２２は、電気通信回線を通して通信する機能、あるいは放送電波を受信する機能を備えていなくとも気象情報を得ることが可能である。
【００３８】
また、監視装置２２は、カメラで撮影した画像に基づいて、対象空間Ｓｔに滞在する人の服装、対象空間Ｓｔに滞在する人の汗の状態などを認識できる場合、虫が人に集まりやすいか否かの目安が得られる。たとえば、虫の種類によっては特定の色に集まる性質があり、また汗をかく人に対して、皮膚表面温度、二酸化炭素を感知して虫が集まる場合がある。したがって、監視装置２２がカメラを備える場合には、服装あるいは汗の状態などによる補助情報を得ることが可能である。制御装置２０は、この種の補助情報が得られる場合にも、吹出装置２１から吹き出す気体の流速を調節することが可能であり、また高速状態を維持する時間を調節することが可能である。
【００３９】
監視装置２２が虫の羽音を監視する構成であれば、虫の種類に応じた羽音の周波数または波形を分析し、監視領域Ｄ２への侵入が検知された虫の種類を特定し、虫の種類を補助情報に用いてもよい。虫の種類に関する補助情報が得られると、制御装置２０は、虫の種類に応じて気体の流速を調節することが可能になる。
【００４０】
上述した建物１０は、吹出装置２１が吹き出す気体によって対象空間Ｓｔへの虫の侵入を抑制している。この構成に対して、図３Ａ、図３Ｂのように、吹出装置２１を備える建物１０に、さらにミスト発生装置２３が付加されていてもよい。図１Ａ、図３Ａに示した構成例では、監視装置２２が開口部１３の上部における左右方向の一方の端部に配置されているが、監視装置２２の構成によっては監視装置２２が開口部１３の上部における中央部に配置することが可能である。ただし、監視装置２２が虫の位置を監視することができれば、監視装置２２を設置する場所にはとくに制限はない。
【００４１】
ミスト発生装置２３は、液体を微粒子状にして噴霧する複数のノズル２３１と、ノズル２３１に液体を供給する供給管２３２とを備える。供給管２３２を通してノズル２３１に供給する液体は、通常は水であるが、昆虫などに対する忌避剤（上述した芳香成分など）を含む水、空間消毒薬を含む水などであってもよい。ミスト発生装置２３を構成する複数のノズル２３１は開口部１３の上部に配置される。
【００４２】
ミスト発生装置２３を構成する複数のノズル２３１それぞれは、ミストを噴霧する状態とミストの噴霧を停止する状態とを選択することが可能である。また、ミスト発生装置２３は、複数のノズル２３１それぞれからミストの噴霧量（つまり、ノズル２３１に導入される液体の流量）を調節可能である。ノズル２３１は、ニードルバルブのようなバルブを内蔵しており、制御装置２０はバルブの開度を制御することが可能である。この構成により、制御装置２０は、ミストを噴霧する場所とミストを噴霧しない場所とを制御することが可能であり、かつミストを噴霧する場所ではミストの噴霧量を制御することが可能である。
【００４３】
制御装置２０は、ミスト発生装置２３からのミストの噴霧量を制御する場合に、吹出装置２１から吹き出す気体の流速を制御する場合と同様に補助情報を用いてもよい。すなわち、制御装置２０は、虫の発生量の多寡を含む虫の発生状況を予測した情報、虫の飛来方向を推定した情報などを補助情報として、ミスト発生装置２３を制御することが可能である。
【００４４】
ミスト発生装置２３は、複数のノズル２３１それぞれによってミストが噴霧される遮蔽領域Ｄ２１が定められる。図３Ａの構成では、ミストが噴霧される遮蔽領域Ｄ２１と、気流形成装置２１１が気流を形成する遮蔽領域Ｄ２１とを一致させている。ただし、吹出装置２１が形成する遮蔽領域Ｄ２１と、ミスト発生装置２３が形成する遮蔽領域Ｄ２１とは異なっていてもよい。
【００４５】
ミストを噴霧すると、微粒子状の液体が飛散し蒸発する際に、気化熱を奪うことによって周囲の空気が冷却される。一方、虫に向かってミストが噴霧されると、虫は体毛に水分が付着することを嫌い、ミストを避けようとする。そのため、吹出装置２１と同様に、監視装置２２が監視する虫の位置に応じてノズル２３１を調節し、虫にミストを噴霧することにより、開口部１３から対象空間Ｓｔへの虫の侵入を抑制することが可能である。ノズル２３１は、気流形成装置２１１と同様に、開口部１３に対して複数箇所に配置されており、複数のノズル２３１それぞれでミストの噴霧量の調節が可能である。したがって、監視装置２２が虫を検知した位置に対応するノズル２３１から噴霧するミストを増量することによって、対象空間Ｓｔへの虫の侵入を抑制することが可能である。
【００４６】
ミストを形成する液体は、虫に対する忌避剤を含有していてもよい、上述したように、シトラス系、ラベンダー系などの芳香成分は、カ、ハエなどに対する忌避効果があると言われている。したがって、ミスト発生装置２３は、これらの芳香成分を含有するミストを生成することが望ましい。
【００４７】
なお、上述した構成例では、ノズル２３１ごとにバルブを制御することによって、ミストを噴霧する場所を調節しているが、ノズル２３１に液体を供給する供給管２３２を複数系統に分けてもよい。この場合、隣接して配置される複数のノズル２３１に１本の供給管２３２から液体を供給し、ミストを噴霧する場所に応じて液体を供給する供給管２３２を変更すればよい。
【００４８】
建物１０の外部から対象空間Ｓｔへの虫の侵入を抑制するために、吹出装置２１を用いる構成と、吹出装置２１とミスト発生装置２３とを併用する構成を例示したが、他の装置を併用することによって、虫の侵入をより低減させることが可能である。吹出装置２１は下向きに気体の層流を形成するが、対象空間Ｓｔへの虫の侵入を抑制するには、対象空間Ｓｔから外向きに気体を流してもよい。そのため、送風ファン、サーキュレータのような送風装置を用いて、対象空間Ｓｔから外向きの気流を形成してもよい。また、ミストに加えて、虫が存在する領域に高圧水を吐出させる構成、超音波を虫に照射することによって虫に対する忌避効果を得る構成などを併用してもよい。あるいは、光、誘引物質などを用いて虫を対象空間Ｓｔの外に誘導する構成を採用してもよい。なお、高圧水を吐出する構成を採用する場合には、高圧水をかける領域における人の不在を監視する必要がある。
【００４９】
以上説明した虫侵入抑制システムは、吹出装置２１と監視装置２２と制御装置２０とを備える。吹出装置２１は、建物１０における開口部１３の周部に配置され開口部１３に対応する分離領域Ｄ１に気体を吹き出す。監視装置２２は、建物１０の外部から開口部１３に向かって飛来する虫の位置を監視する。制御装置２０は、監視装置２２の監視結果から虫の飛来を検知すると、虫の位置に基づいて、吹出装置２１から吹き出す気体の流速を一時的に増加させるように吹出装置２１に指示する。
【００５０】
この構成によれば、虫が開口部１３から建物１０に侵入しようとすると、吹出装置２１からの気体の流速が増加し、結果的に建物１０への虫の侵入が抑制される。また、常時は気体の流速を比較的低速に維持するから、気流を形成するために要するエネルギーの増加が抑制される。
【００５１】
吹出装置２１は、分離領域Ｄ１のうち気体を吹き出す遮蔽範囲Ｄ２１が指示されるように構成されていることが望ましい。この場合、制御装置２０は、虫の飛来を検知すると、虫の位置に基づいて吹出装置２１に気体を吹き出す遮蔽範囲Ｄ２１を指示し、かつ吹出装置２１が当該遮蔽範囲Ｄ２１に吹き出す気体の流速を一時的に増加させる。
【００５２】
この構成によれば、虫の位置に対応する遮蔽範囲Ｄ２１のみの気体の流速を増加させるから、開口部１３の全体において気体の流速を増加させる場合よりもエネルギーの増加が低減する。
【００５３】
虫侵入抑制システムは、建物１０における開口部の周部に配置され分離領域Ｄ１にミストを噴霧するミスト発生装置２３を備えていてもよい。この場合、制御装置２０は、虫の飛来を検知すると、虫の位置に基づいて、ミスト発生装置２３から噴霧するミストを一時的に増量するようにミスト発生装置２３に指示する。
【００５４】
この構成によれば、虫に対して流速の大きい気体を吹き付けるだけではなく、ミストも噴霧するから、虫に対する忌避効果が高くなる。すなわち、建物１０への虫の侵入をより抑制できる可能性が高くなる。
【００５５】
ミスト発生装置２３は、分離領域Ｄ１のうちミストを吹き出す遮蔽範囲Ｄ２１が指示されるように構成されていることが望ましい。この場合、制御装置２０は、虫の飛来を検知すると、虫の位置に基づいてミスト発生装置２３にミストを吹き出す遮蔽範囲Ｄ２１を指示し、かつミスト発生装置２３が遮蔽範囲Ｄ２１に噴霧するミストを一時的に増量させる。
【００５６】
この構成によれば、虫の位置に対応する遮蔽範囲Ｄ２１のみでミストが増量されるから、ミストを形成する液体の消費量が抑制される。
【００５７】
ミスト発生装置２３は、虫の忌避効果を有する忌避剤をミストに含むことが望ましい。すなわち、忌避剤をミストに含むことにより、水などでミストを形成する場合よりも虫に対する忌避効果が高まる可能性がある。
【００５８】
監視装置２２は、虫の発生量の多寡を予測するための情報を取得する機能を有していてもよい。この場合、制御装置２０は、監視装置２２が取得した情報により虫の発生量が増加すると予測された場合に、吹出装置２１から吹き出す気体の流速を一時的に増加させることが望ましい。あるいは、制御装置２０は、監視装置２２が取得した情報により虫の発生量が増加すると予測された場合に、ミスト発生装置２３から噴出させるミストを一時的に増量させるようにしてもよい。
【００５９】
このような補助的な情報を用いて気体の流速、あるいはミストの噴霧量を調節することによって、建物１０への虫の侵入を抑制できる可能性がさらに高まる。
【００６０】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６１】
１０  建物
１３  開口部
２０  制御装置
２１  吹出装置
２２  監視装置
２３  ミスト発生装置
Ｄ１  分離領域
Ｄ２１  遮蔽範囲
【図１】
2017158481.tif 000003
【図２】
2017158481.tif 000004
【図３】
2017158481.tif 000005